(57)【要約】【課題】要求される建て付け精度が比較的緩く、容易に建て付けることができ、軽く開閉することができる引き戸装置を提供する。【解決手段】引き戸装置１は、複数枚の引き戸１０，１０と、この引き戸が摺動可能に、かつ引き違いに嵌め込まれる上溝６，６を有する鴨居３（上溝部材）及び下溝７，７を有する敷居４（下溝部材）とから構成される。鴨居３及び敷居４は、引き戸１０が嵌め込まれたとき、引き戸１０が鉛直方向に対して傾斜角度θで傾斜するように構成されており、引き戸１０，１０は、溝６，７に嵌め込まれる上下の端部の摺動方向と直角な方向の断面形状が円弧面１４で形成されており、引き戸は、これらを閉じたとき、引き戸の重なり部に、この重なり部の空間を埋める縦スペーサ１５が配設されている。また、鴨居３の上溝６内に溝の長手方向に沿って横スペーサ１６を配設している。引き戸の傾斜角度は鉛直に対して０．２〜２度が好ましい。【選択図】図４
2008308961.tif 000002
【特許請求の範囲】
【請求項１】
引き戸と、該引き戸が摺動可能に嵌め込まれる溝を有する上溝部材及び下溝部材とから構成される引き戸装置であって、
前記上溝部材及び下溝部材は、前記引き戸が前記溝に嵌め込まれたとき該引き戸が鉛直方向に対して傾斜するように構成されていることを特徴とする引き戸装置。
【請求項２】
前記引き戸は、前記溝に嵌め込まれる上下の端部の前記摺動方向と直角な方向の断面形状が円弧面で形成されていることを特徴とする請求項１に記載の引き戸装置。
【請求項３】
前記引き戸は、閉じられたときに、該引き戸の後端の側面と固定部との間に、前記摺動方向と交差する方向の空間が形成され、該空間を埋めるスペーサが前記引き戸及び／又は前記固定部に配設されていることを特徴とする請求項１又は２に記載の引き戸装置。
【請求項４】
前記引き戸は複数枚で、かつ引き違いに前記溝に嵌め込まれ、
前記引き戸は、これらを閉じたとき、該複数枚の引き戸の重なり部に、該重なり部の空間を埋めるスペーサが配設されていることを特徴とする請求項１又は２に記載の引き戸装置。
【請求項５】
前記上溝部材の溝に、該溝の長手方向に沿ってスペーサを配設したことを特徴とする請求項１〜４のいずれかに記載の引き戸装置。
【請求項６】
前記上溝部材及び下溝部材の溝は、前記引き戸の摺動方向と直角な方向の断面形状が滑らかな円弧面で形成されていることを特徴とする請求項１〜５のいずれかに記載の引き戸装置。
【発明の詳細な説明】
【技術分野】
【０００１】
本発明は、襖やフラッシュ戸等の引き戸装置に係り、特に、引き戸によって閉じられた空間を外部に対して遮音する、あるいは外部からの騒音を遮断することを目的とする防音式の引き戸装置に関する。
【背景技術】
【０００２】
従来、この種の遮音を目的とした引き戸装置としては、気密性を確保するために引き戸を枠に取付けた気密材で強く挟みつけている。また、特許文献１に記載されている従来の引戸の遮音構造は、鴨居の溝には引戸が摺動自在に嵌め込まれており、引戸と鴨居との隙間にはパッキングとしてのゴム製のローラが多数配置されており、ローラは互いに隣接している。そして、ローラは鴨居に固定された軸によって回転自在に支持されており、ローラの周面は引戸と鴨居とに接触している。
【０００３】
【特許文献１】特開平５−３１１９５９号公報
【発明の開示】
【発明が解決しようとする課題】
【０００４】
ところで、前記構造の引き戸装置や、引戸の遮音構造では、構造が複雑となると共に、気密材の耐久性が必要であり、引き戸装置の建て付け性の精度が必要であった。また、引き戸を気密材で強く挟んでいるため、開閉時に大きな操作力が必要であり、引き戸を軽く開閉することができないという問題点があった。
【０００５】
本発明は、このような問題に鑑みてなされたものであって、その目的とするところは、引き戸を気密材で強く挟み込む必要がなく、軽く開閉することができる引き戸装置を提供することにある。また、要求される建て付け精度が比較的緩く、容易に建て付けることができる引き戸装置を提供することにある。
【課題を解決するための手段】
【０００６】
前記目的を達成すべく、請求項１に記載の発明による引き戸装置は、引き戸と、該引き戸が摺動可能に嵌め込まれる溝を有する上溝部材及び下溝部材とから構成され、上溝部材及び下溝部材は、引き戸が溝に嵌め込まれたとき該引き戸が鉛直方向に対して傾斜するように構成されていることを特徴としている。
【０００７】
前記のごとく構成された引き戸装置では、引き戸は傾斜した状態で上溝部材の溝と下溝部材の溝に嵌め込まれるため、引き戸が倒れ掛かる側の溝の面に密着し、引き戸装置で区切られる一方の空間と他方の空間の気密状態が良好となる。すなわち、一方の空間から他方の空間への空気の流通が遮られる。このため、この引き戸装置が遮蔽する外側空間から内側空間へ進入する騒音や、内側空間から外側空間への音の伝播を確実に遮断することができる。また、引き戸を摺動可能に支持する引き戸枠の建て付け精度が緩く、建て付けが容易に行なえる。
【０００８】
請求項２に記載の発明による引き戸装置は、引き戸は、前記溝に嵌め込まれる上下の端部の前記摺動方向と直角な方向の断面形状が円弧面で形成されていることを特徴としている。この構成によれば、引き戸は上溝部材の溝と下溝部材の溝との間に傾斜状態に嵌め込まれているが、引き戸の上下の端部の、その摺動方向と直角方向の断面形状が円弧面で形成されているため、軽い操作力で円滑に引き戸を摺動させることができる。すなわち、傾斜している引き戸が上下の溝に硬く噛んで摺動を妨げることを防止できる。
【０００９】
請求項３に記載の発明による引き戸装置は、前記引き戸は、閉じられたときに、該引き戸の後端の側面と固定部との間に、前記摺動方向と交差する方向の空間が形成され、該空間を埋めるスペーサが前記引き戸及び／又は前記固定部に配設されていることを特徴としている。この構成によれば、引き戸が１枚の場合でも、閉じられたときに固定部との間に形成された空間をスペーサで埋めて空間を閉塞し、しかも傾斜している引き戸でスペーサを押圧して密着するため、気密状態が保たれ防音性能が向上する。
【００１０】
請求項４に記載の発明による引き戸装置は、前記引き戸は複数枚で、かつ引き違いに前記溝に嵌め込まれ、前記引き戸は、これらを閉じたとき、該複数枚の引き戸の重なり部に、該重なり部の空間を埋めるスペーサが配設されていることを特徴としている。このスペーサは、引き戸同士の開閉時の衝撃を和らげる緩衝材として機能すると共に、閉じたときの気密性を保持するための気密材としても機能する。この構成によれば、引き戸の重なり部を埋めるスペーサは、傾斜した引き戸の重力により軽く圧縮され密着、あるいは隙間を狭くするため、軽い操作力で引き戸を開閉することができる。そして、このスペーサは気密材として機能するため、引き戸の重なり部の気密状態を良好にすることができ、重なり部を通過する音を遮断することができる。
【００１１】
請求項５に記載の発明による引き戸装置は、上溝部材の溝に、該溝の長手方向に沿ってスペーサを配設したことを特徴としている。この水平方向のスペーサは、引き戸の傾斜している側、すなわち引き戸が倒れる側の面に沿って固定されると好ましい。このスペーサも、引き戸同士の開閉時の衝撃を和らげる緩衝材として機能すると共に、閉じたときの気密性を保持するための気密材としても機能する。この構成によれば、引き戸は重力により傾斜している側に倒れるようにスペーサを押圧するため、引き戸と上溝部材とは隙間無く密着することができ、屋外からの騒音の侵入を防止することができると共に、室内からの音洩れを防止することができる。また、スペーサを低摩擦ゴム等の滑らかな材質のものを用いることにより、開閉の操作力を低減することができる。
【００１２】
請求項６に記載の発明による引き戸装置は、上溝部材及び下溝部材の溝が、引き戸の摺動方向と直角な方向の断面形状が滑らかな円弧面で形成されていることを特徴としている。この構成によれば、断面形状が円弧面同士で溝と引き戸の上下端部が接するため、引き戸の下端に滑車が無くても軽く引き戸を摺動させることができる。また、引き戸と上溝部材及び下溝部材との接触が線接触となり、隙間が形成されないため、騒音の侵入や、音の進出を防止することができる。
【発明の効果】
【００１３】
本発明の引き戸装置は、構成が簡単であり、要求される建て付け精度が比較的緩く、容易に建て付けることができる。また、重力により複数枚の引き戸を密閉できるため、効率良く防音することができる。さらに、引き戸の操作力を低減することができ、軽く開閉操作を行える。しかも、引き戸が１枚の場合でも、複数枚の場合でも軽く開閉操作でき、効率よく防音することができる。
【発明を実施するための最良の形態】
【００１４】
以下、本発明に係る引き戸装置の一実施形態を図面に基づき詳細に説明する。図１は、本実施形態に係る引き戸装置の正面図、図２は、図１のＡ−Ａ線断面図、図３は、図１のＢ−Ｂ線断面図、図４（ａ）は、図１の引き戸装置の縦方向のＣ−Ｃ線に沿う要部断面図、図４（ｂ）は引き戸の傾斜状態を説明する模式図である。この実施形態は、引き戸が２枚構成であり、引き違いに摺動できる構成を示している。
【００１５】
図１〜４において、本実施形態の引き戸装置１は、引き戸枠２の開口部を遮蔽するように２枚の引き戸１０，１０を摺動可能に、かつ引き違いに支持している。開口部を有する引き戸枠２は上溝部材である鴨居３と、下溝部材である敷居４と、これらを連結する縦部材５，５とから矩形に構成されている。鴨居３と敷居４には、各々２枚の引き戸が引き違いに嵌め込まれる鴨居の上溝６，６及び敷居の下溝７，７が形成され、これらの溝に引き戸１０，１０の上下の端部が嵌合して引き戸が摺動可能に支持されている。
【００１６】
引き戸１０，１０の上下の端部は、引き戸の摺動方向と直角な方向の断面形状が円弧面で形成されている。すなわち、引き戸１０は、中央の面材１１と、この面材の上下に固定された上桟１２及び下桟１３とから構成されている。そして、上桟１２と、下桟１３は断面形状が半円形の円弧面１４であり、低摩擦シリコンゴムや低摩擦ニトリルゴム等の滑らかな材料で表面処理された半円形の棒状に形成されている。
【００１７】
また、半円形の円弧面１４の上桟１２及び下桟１３が嵌め込まれる上溝６，６及び下溝７，７も、同様に半円形の円弧面で形成されており、滑らかに表面処理がされている。このため、下桟に従来のように滑車が無くても、軽い操作力で引き戸１０，１０を摺動させることができる。そして、敷居４の下溝７と引き戸１０の下桟１３とは線接触の状態となり、隙間無く接触する構成となっている。上桟１２と下桟１３に形成された円弧面の曲率半径は、上溝６と下溝７の円弧面の曲率半径より小さく設定され、半径の大きい溝に対して半径の小さい桟が緩く嵌合している。
【００１８】
引き戸１０，１０の上桟１２，１２及び下桟１３，１３は、前記のように断面が半円形の棒状の部材で形成されており、これらの部材は引き戸の中央に位置する面材１１の上下の端部に接着剤又はタッカー、表面処理をした釘等により固定されている。引き戸１０の中央の面材１１は、襖のように木製の枠に対して紙を貼り付けたものや、枠と合板から形成されるもの、枠と鉄板、枠と石膏ボード等から形成されるもの等を用いることができる。
【００１９】
敷居４の断面が半円形の下溝７，７と、引き戸１０，１０の断面が半円形の下桟１３，１３とは線接触しており、敷居４に対して引き戸１０，１０が軽く摺動できるように構成されているが、鴨居３の断面が半円形の上溝６，６と、引き戸１０，１０の断面が半円形の上桟１２，１２とは隙間ｄを介して対向している。このため、この隙間ｄだけ引き戸１０を上方に移動させることができ、引き戸を下溝７，７から外して引き戸１０を引き戸枠２から取り外すことができる構成となっている。
【００２０】
そして、引き戸枠２を構成する鴨居３と敷居４は、引き戸１０，１０が鴨居３と敷居４に嵌め込まれたとき、引き戸が鉛直方向に対して傾斜するように、鴨居３と敷居４の溝の少なくとも一方が平行に移動されている。図４（ａ）に詳細に示されるように、鴨居３の上溝６，６は中心線に対して左方向に距離Ｄだけ平行移動されており、敷居４の下溝７，７は中心線に対して右方向に距離Ｄだけ平行移動されている。引き戸の傾斜角度θは鉛直面に対して０．２〜２度の範囲が好ましい。すなわち、敷居４の下溝７，７を一方（図４では右方）に０．３〜３ｃｍ程度ずらし、鴨居３の上溝６，６を他方（図４では左方）に０．３〜３ｃｍ程度ずらした場合、例えば引き戸の高さが１８０ｃｍであると、引き戸１０，１０が鉛直面に対して０．２〜２度程度傾斜する。
【００２１】
前記の引き戸の傾斜について、図４（ｂ）を参照してさらに説明すると、一般的な引き戸の高さＨは１８０ｃｍ程度であり、この高さの引き戸をθ（０．２〜２度）傾斜させると水平方向の幅はｔａｎθ＝約０．６〜６ｃｍとなる。この幅が前記の平行移動距離Ｄの２倍となり、２Ｄ＝０．６〜６ｃｍで、鴨居３の上溝６，６を一方に０．３〜３ｃｍ程度移動し、敷居４の下溝７，７を他方に０．３〜３ｃｍ程度移動することを示している。なお、引き戸の傾斜方向はどちら側でも実質的に同等である。また、引き戸の傾斜角度は０．２〜２度の範囲で、自由に設定可能である。なお、引き戸の傾斜角度は、前記の角度範囲に限定されるものでないことは勿論である。
【００２２】
さらに、引き戸１０，１０には、これらを閉じたとき、２枚の引き戸の重なり部に、この重なり部の空間を埋める縦スペーサ１５が配設されている。縦スペーサ１５は一方の引き戸１０の端に、１〜５ｍｍ程度の厚さの低摩擦ゴムを貼り付けている。縦スペーサ１５の幅は、２枚の引き戸の重なり部に合わせて設定され、例えば１０〜２０ｍｍ程度の幅が好ましい。縦スペーサ１５は２枚の引き戸を閉じたときに、隙間ができずに密着する厚さが好ましいが、僅かに隙間ができるように設定してもよい。縦スペーサ１５は引き戸１０，１０の重なり部分の隙間を埋めて隙間風の進入を防ぐ機能を有するため、気密材ということもできる。
【００２３】
また、上溝部材である鴨居３の上溝６には、この溝の長手方向に沿って、すなわち引き戸の摺動方向に沿って水平方向の横スペーサ１６が配設されている。この横スペーサは、例えば低摩擦ゴムで形成され、厚さが１〜３ｍｍ程度、幅が５〜１０ｍｍ程度で、長さは上溝の全長に等しく形成されている。そして、上溝内に接着剤、あるいは粘着剤等で固定されている。横スペーサ１６は、傾斜状態に嵌め込まれた引き戸１０が重力で押圧する側の溝の円弧面に固定されており、引き戸１０の上桟１２と常時、弱い接触圧で接触するように構成されている。このため、引き戸１０の上桟１２と鴨居３の上溝６との間には、横スペーサ１６が挟まれて隙間ができないように構成されている。この横スペーサ１６も、縦スペーサ１５と同様に気密材ということができる。
【００２４】
前記の如く構成された本実施形態の引き戸装置１の動作について以下に説明する。鴨居３、敷居４、及び縦部材５，５とから構成される引き戸枠２の開口部に引き戸１０，１０を嵌め込むときは、引き戸１０の上桟１２を一方の上溝６に挿入し、上溝内の隙間ｄを詰めるように引き戸１０を上方に持ち上げて引き戸の下桟１３を敷居４の下溝７内に挿入する。ついで、もう１枚の引き戸１０を同様に嵌め込む。これにより、引き戸１０，１０は引き戸枠２内に容易に嵌め込まれ、引き違いに摺動可能となる。
【００２５】
引き戸枠２内に嵌め込まれた引き戸１０，１０は、鉛直面に対して０．２〜２度傾斜しているが、鉛直面に対する傾斜角度が小さいため、違和感は少ない。このように、引き戸１０，１０は引き戸枠２に傾斜して嵌め込まれているため、上溝６，６には傾斜している側に倒れるような押圧力が働き、引き戸１０の上桟１２は上溝６，６内に固定された横スペーサ１６を軽く押圧して、この横スペーサと密着する。このため、鴨居３と引き戸１０の上桟１２とは横スペーサ１６を挟んで隙間の無い状態で密着すると共に、引き戸１０，１０は鴨居３と敷居４との間を摺動可能に支持される。そして、引き戸１０，１０は上下の端部が半円形の円弧面で形成されているため、引き戸１０，１０が引き戸枠２に嵌め込まれたときに傾斜していても、円滑に摺動させることができる。
【００２６】
引き戸１０，１０を閉じたときに、２枚の引き戸の重なり部に固定された縦スペーサ１５は、傾斜している側から見て外側に位置する引き戸１０の重力により押圧され、２枚の引き戸間に密着して隙間ができない状態となる。すなわち、一方の引き戸１０が他方の引き戸側に倒れ掛かるように重力が働き、縦スペーサ１５を押圧するため、２枚の引き戸の重なり部に隙間が形成されない。そして、敷居４の下溝７，７と引き戸の下桟１３，１３とは半円形の断面同士が線接触して隙間が形成されないため、引き戸１０，１０と引き戸枠２とは気密状態が良好となり、引き戸装置１で仕切られた一方の空間から他方の空間への音の伝播は遮られる。したがって、この引き戸装置１では、外部からの騒音の侵入を防止できると共に、内部からの音洩れを防止することができる。
【００２７】
引き戸１０を開閉するとき、引き戸の下桟１３は長手方向に直角な断面が半円形であり、敷居４の下溝７も同様に半円形の断面であり、両者とも滑らかな半円形の円弧面で接触するため、軽い操作力で引き戸１０を摺動させることができる。また、鴨居３の上溝６と引き戸１０の上桟１２は、上部に間隙ｄを有して対向しており、上桟１２は上溝６の内面に配設された水平方向の横スペーサ１６と接触している。そして、この横スペーサ１６は低摩擦ゴム等で形成され、滑らかな円弧面で形成された上桟１２との接触抵抗が小さいため、引き戸１０の開閉操作力を大幅に増やすことはない。この結果、引き戸１０を軽く開閉することができる。そして、横スペーサ１６が引き戸の上桟１２と鴨居３の上溝６との間に挟まれて空間を埋めているため、防音効果は増大する。しかも、引き戸１０，１０の鉛直面からの傾きが少ない状態で、確実に騒音の侵入を防止し、音の進出を防止することができる。
【００２８】
このように、本実施形態の引き戸装置１は、構成が簡単であり、建て付けも通常の引き戸装置と同様に行える。また、引き戸枠２への引き戸１０，１０の嵌め込みも容易に行える。そして、引き戸１０，１０が傾斜しており、上桟１２、下桟１３の断面形状が円弧で形成されているため、上桟１２及び下桟１３は、各々鴨居３の上溝６、敷居４の下溝７と線接触するため隙間が形成されず、さらに、引き戸の重なり部の縦スペーサ１５により空間は埋められているため、気密状態がよくなり外部からの騒音の侵入を防止し、内部からの音漏れを防止できる。なお、引き戸１０，１０の傾斜角度θが大きいほど、縦スペーサ１５、横スペーサ１６を押圧する圧力が増えるため、防音効果は増大する。
【００２９】
つぎに、本発明の他の実施形態を図５〜８に基づき詳細に説明する。図５は引き戸装置の他の実施形態の正面図、図６は図５のＥ−Ｅ線断面図、図７は図５のＦ−Ｆ線断面図、図８は図５の引き戸装置のＧ−Ｇ線に沿う要部断面図である。なお、この実施形態は、引き戸が１枚構成の例であり、前記の実施形態のように、引き違いに摺動できるものと異なり、１枚の引き戸が引き込まれる形態のものを示している。そして、前記の実施形態と実質的に同等の構成については、同じ符号を付して詳細な説明は省略する。
【００３０】
図５〜８において、引き戸装置１Ａでは、引き戸枠２Ａは上溝部材である鴨居３Ａと、下溝部材である敷居４Ａと、これらを連結する縦部材５，５とから矩形に構成されている。鴨居３Ａと、敷居４Ａには、それぞれ１本の上溝６と下溝７が形成されている。上溝６及び下溝７は、前記の実施形態と同様に、断面形状が滑らかな円弧面で形成されている。そして、これらの上溝６と下溝７に１枚の引き戸１０Ａが摺動可能に嵌め込まれている。この１枚の引き戸１０は引き戸枠２の開口の約半分の大きさで形成されている。
【００３１】
鴨居３Ａの１本の上溝６は、図８に示されるように、中心線に対して距離Ｄ２だけ変位しており、敷居４Ａの１本の下溝７は中心線に対して距離Ｄ１だけ変位している。この結果、上溝６と下溝７との間に嵌め込まれる引き戸１０Ａは、鉛直方向の高さに対して、水平方向に例えば下方が距離（Ｄ１−Ｄ２）だけずれるため、嵌め込まれた引き戸１０Ａは角度θだけ傾斜する。そして、嵌め込まれた引き戸１０Ａは、鴨居３Ａの上溝６の頂部との間に隙間ｄが形成されている。この傾斜角度θも、前記の実施形態と同様に、０．２〜２度の角度が好ましい。
【００３２】
この実施形態では、引き戸枠２の略中心部には縦桟１７が垂直に固定されており、この縦桟１７と、図５において左方の縦部材５との間には開口を遮蔽する壁面１８が形成されている。この構成により、引き戸枠２は中心から左方は壁面１８で覆われ、中心から右方の開口が１枚の引き戸１０Ａで開閉できるように構成されている。引き戸は開かれたときに壁面１８に沿って引き込まれ、壁面と平行状態となる。縦桟１７及び壁面１８は、摺動可能な引き戸に対して、固定部を形成している。
【００３３】
引き戸枠２の中央に垂直に固定された縦桟１７は、引き戸１０Ａの傾斜に合わせて引き戸との対向面が傾斜しており、引き戸との間隙が平行に形成されている。引き戸１０Ａは閉じられたときに、引き戸の後端の側面（縦桟の対向面）と固定部である縦桟１７との間に、摺動方向と交差する方向、すなわち引き戸の面方向の空間が形成される。そして、この空間は平行であり、この空間を埋める縦スペーサ１５Ａが例えば引き戸１０Ａに固定されている。なお、このスペーサは縦桟１７に固定してもよく、両方に半分の厚さで固定してもよい。
【００３４】
縦スペーサ１５Ａは前記の実施形態と同様に、低摩擦ゴム等で形成され、引き戸１０Ａを閉じたときに傾斜している引き戸により重力が作用して押圧され、縦方向の気密状態が保たれて騒音の侵入や音漏れを防ぐことができる。また、この実施形態でも、上溝６の長手方向に沿って低摩擦ゴム等からなる横スペーサ１６が貼着されている。この横スペーサ１６により上溝６と引き戸の上桟１２との隙間が埋められ、横方向の気密状態が保たれて防音効果が向上する。
【００３５】
この実施形態でも、防音効果を得るために、気密材を強く挟む必要がなく、引き戸１０Ａを軽く開閉することができる。また、引き戸装置１Ａに要求される建て付け精度は比較的緩いため、引き戸装置を容易に建て付けることができる。さらに、１枚の引き戸１０Ａは、上下の溝に嵌め込まれる上下の端部の摺動方向と直角な方向の断面形状が円弧面で形成されているため、引き戸が傾斜していても軽く、容易に開閉することができる。
【００３６】
本発明のさらに他の実施形態を図９に基づき詳細に説明する。図９は本発明に係る引き戸装置の他の実施形態を示す要部断面図である。なお、この実施形態は前記した実施形態に対し、上溝部材である鴨居と、下溝部材である敷居に形成された上溝及び下溝の形状が異なり、これらの形状の異なる上溝と下溝に嵌合する引き戸の上桟及び下桟の形状が異なることを特徴とする。そして、他の実質的に同等の構成については同じ符号を付して詳細な説明は省略する。
【００３７】
図９において、この実施形態の鴨居３に形成された上溝２０は、鴨居の長手方向（引き戸の摺動方向）に直角な断面形状が引き戸１０，１０側に向けて（鴨居の場合下側に）広がる傾斜面２１，２１と、これらを連結する円弧面２２で形成された底面とから構成されている。図示していないが、敷居の場合も鴨居と同様の上下反転した形状の下溝が形成されている。そして、この上溝２０に嵌め込まれる引き戸１０の上桟２５も、上溝２０と同様な上方につぼまる傾斜面２６，２６と、これらと連続する円弧面２７とから構成されている。引き戸の下桟も同様な上下反転した形状となっている。この上桟２５及び図示していない下桟は、タッカーや釘２８で引き戸１０の面材１１に固定されている。
【００３８】
このように、引き戸１０の上下の端部の形状は、前記の実施形態のように断面が半円形のものの他に、上方につぼまる傾斜辺の上端が円弧面で形成される形状でもよい。図９に示される上溝及び上桟の場合も、鴨居の長手方向に直角な断面形状の一部が円弧面で形成されているため、引き戸が鉛直面に対して傾斜していても、円滑に開閉させることができる。
【００３９】
この実施形態においては、鴨居３に形成された上溝２０の中に水平方向に固定されている横スペーサ２９の形状は、前記の実施形態のように断面形状が楕円形でなく、矩形状である。このように、横スペーサの断面形状は限定されるものでなく、鴨居の上溝と引き戸の上桟との間の隙間を埋めて引き戸が滑らかに開閉できる機能を有するものであれば、その形状は問われない。
【００４０】
なお、前記の実施形態では、引き戸１０，１０の重なり部に配設された縦スペーサ１５は、一方の引き戸に貼付した例を示したが、両方の引き戸の対向面の双方に薄手の緩衝材を貼付固定し、両引き戸を閉じたときに重なり部の空間を埋めることができるものでもよい。図９の例では、縦スペーサは２本から構成され、縦スペーサ１５ａ，１５ｂを各々の引き戸に配設し、重なったときに僅かな空隙ができるように構成している。
【００４１】
また、引き戸を鉛直方向に対して傾斜させる構成として、敷居と鴨居の溝をずらす構成を示したが、敷居そのものを例えば図４の方向で、右方に平行移動し、鴨居そのものを左方に平行移動することで、引き戸を傾斜させるように構成してもよい。この場合は、敷居と鴨居とを連結する２本の縦部材は鴨居と敷居の水平方向のずれ分を考慮した広幅に形成することが好ましい。
【００４２】
引き戸の面材と、上桟及び下桟との固定は接着剤や釘等に限らず、あり溝により結合する構成でもよい。また、鴨居に水平方向に横スペーサを固定する構造は接着剤や粘着剤に限らず、あり溝により固定してもよい。鴨居に形成された上溝に配設された横スペーサは、低摩擦ゴムに限らず、低摩擦係数の樹脂板材を貼り付けて固定してもよい。
【００４３】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記の実施形態では２枚の引き戸を引き違いとする例を示したが、３枚以上の引き戸を引き違いとするように構成し、重なり部が２個所以上となる構成でもよいことは勿論である。
【００４４】
また、前記の実施形態では、上溝部材である鴨居に形成された上溝と、下溝部材である敷居に形成された下溝は、長手方向に直角な断面形状が共に円弧面で形成される例を示したが、通常の敷居や鴨居に形成される、断面形状が矩形状の下溝や上溝であってもよい。すなわち、引き戸の上下の端部が円弧面で形成されれば、引き戸を鉛直面に対して傾斜させても、開閉操作が軽く行え、本発明の前記の作用効果を達成することができる。
【産業上の利用可能性】
【００４５】
本発明の活用例として、この引き戸装置を用いてアルミサッシ等の屋外に面する引き戸装置に適用することができ、また、この引き戸装置を用いて室内に使用するフラッシュ戸やふすま、障子等の用途にも適用できる。
【図面の簡単な説明】
【００４６】
【図１】本発明に係る引き戸装置の一実施形態の正面図。
【図２】図１のＡ−Ａ線断面図。
【図３】図１のＢ−Ｂ線断面図。
【図４】（ａ）は図１の引き戸装置のＣ−Ｃ線に沿う要部断面図、（ｂ）は引き戸の傾斜状態を説明する模式図。
【図５】本発明に係る引き戸装置の他の実施形態の正面図。
【図６】図５のＥ−Ｅ線断面図。
【図７】図５のＦ−Ｆ線断面図。
【図８】図５の引き戸装置のＧ−Ｇ線に沿う要部断面図。
【図９】本発明に係る引き戸装置のさらに他の実施形態の要部断面図。
【符号の説明】
【００４７】
１，１Ａ：引き戸装置、２，２Ａ：引き戸枠、３，３Ａ：鴨居（上溝部材）、４，４Ａ：敷居（下溝部材）、５：縦部材、６，２０：上溝、７：下溝、１０，１０Ａ：引き戸、１２，２５：上桟、１３：下桟、１４，２２，２７：円弧面、１５，１５Ａ，１５ａ，１５ｂ：縦スペーサ（気密材）、１６，２９：横スペーサ（気密材）、１７：縦桟、１８：壁面、θ：傾斜角度、Ｄ，（Ｄ１−Ｄ２）：平行移動距離
【図１】
2008308961.tif 000003
【図２】
2008308961.tif 000004
【図３】
2008308961.tif 000005
【図４】
2008308961.tif 000006
【図５】
2008308961.tif 000007
【図６】
2008308961.tif 000008
【図７】
2008308961.tif 000009
【図８】
2008308961.tif 000010
【図９】
2008308961.tif 000011